(57)【特許請求の範囲】
【請求項１】
一対の柱部材と梁部材とを門形に接合してなる複数の門形フレームが、平行離間して配置されるとともに、これら複数の門形フレームが連結されており、
前記複数の門形フレームのうち、端部側に位置する門形フレームに対向して壁が配置されており、
前記壁に複数の袖壁が設けられており、
前記門形フレームに作用する前記梁部材と直交する方向の水平力を前記袖壁によって受けるようにするとともに、
前記複数の門形フレームは床によって連結されており、端部側に位置する前記門形フレーム上に位置する床が前記袖壁に連結されていることを特徴とする建物。
【請求項２】
請求項１に記載の建物において、
前記柱部材および前記梁部材は、それぞれ長手方向と直交する方向に所定の間隔をあけて配置される一対の棒状部材と、これら一対の棒状部材間に設けられる腹材とを備えた建築構造材によって構成されており、
前記腹材は、縦横の框材を矩形枠状に組み立ててなる枠体と、この枠体の両面に貼設される面材とを有する木質パネルで構成されていることを特徴とする建物。
【請求項３】
請求項２に記載の建物において、
前記一対の棒状部材は、それぞれ複数の角材を軸方向に連結することによって構成されており、
前記腹材を構成する木質パネルは、前記一対の棒状部材の長手方向に連続して複数配置されており、これら複数の木質パネルの棒状部材側の縁部は、それぞれ前記一対の棒状部材に接合されていることを特徴とする建物。
【請求項４】
請求項２または３に記載の建物において、
前記梁部材を構成する建築構造材の一対の棒状部材のうち、上方に位置する棒状部材は、前記柱部材を構成する建築構造材の上端面に載置されており、
下方に位置する捧状部材は、前記柱部材を構成する建築構造材の棒状部材の側面に取り付けられていることを特徴とする建物。
【発明の詳細な説明】
【技術分野】
【０００１】
本発明は、複数の門形フレームを平行離間させて配置した構造を有する建物に関する。
【背景技術】
【０００２】
門形パネルユニットの一例として特許文献１に記載のものが知られている。
この門形パネルユニットは、略水平方向に延びる梁部と、この梁部の両端に結合されて略鉛直下方に延びる柱部とを有する一対の門型パネルを、所定間隔をおいて対向させた状態に配し、かつ結合材により互いに結合し、各両側の柱部の間に開口を形成してなるものである。
このような門形パネルユニットは、パネル工法における木造住宅において、家屋下のガレージの入口等、幅広の開口が要求される場合に使用される。
【先行技術文献】
【特許文献】
【０００３】
【特許文献１】特開平０６−８１４０８号公報
【発明の概要】
【発明が解決しようとする課題】
【０００４】
ところで、上記のような門形パネルユニットを構成する複数の門形パネルを所定間隔で平行離間させて配置するとともに、これら門形パネルを連結することによって、建物内に比較的広い空間を形成できるが、門形パネルだけでは、当該門形パネルに、例えば地震や強風等の際に作用する水平力に抗するには不十分である可能性がある。
【０００５】
本発明は上記事情に鑑みてなされたもので、複数の門形フレームを平行離間して配置するとともに、これら複数の門形フレームを連結した構造を有する建物において、門形フレームに作用する水平力に十分に抗することができる建物を提供することを課題としている。
【課題を解決するための手段】
【０００６】
上記課題を解決するために、請求項１に記載の発明は、例えば図１〜図４に示すように、一対の柱部材２と梁部材３とを門形に接合してなる複数の門形フレーム４が、平行離間して配置されるとともに、これら複数の門形フレーム４が連結されており、
前記複数の門形フレーム４のうち、端部側に位置する門形フレーム４に対向して壁１１が配置されており、
前記壁１１に複数の袖壁１２が設けられており、
前記門形フレーム４に作用する前記梁部材３と直交する方向の水平力を前記袖壁１２によって受けるようにするとともに、
前記複数の門形フレーム４は床１０によって連結されており、端部側に位置する前記門形フレーム４上に位置する床１０が前記袖壁１２に連結されていることを特徴とする。
【０００７】
請求項１に記載の発明によれば、複数の門形フレーム４のうち、端部側に位置する門形フレーム４に対向して壁１１が配置されており、この壁１１に複数の袖壁１２が設けられており、前記門形フレーム４に作用する前記梁部材３と直交する方向の水平力を前記袖壁１２によって受けるようにしたので、門形フレーム４に作用する水平力に十分に抗することができる。
また、複数の門形フレーム４が床１０によって連結されており、端部側に位置する門形フレーム４上に位置する床１０が袖壁１２に連結されているので、門形フレーム４に作用する梁部材３と直交する方向の水平力を袖壁１２によって効果的に受けることができる。
【００１０】
請求項２に記載の発明は、請求項１に記載の建物において、
前記柱部材２および前記梁部材３は、それぞれ長手方向と直交する方向に所定の間隔をあけて配置される一対の棒状部材２１,２１と、これら一対の棒状部材２１,２１間に設けられた腹材２２とを備えた建築構造材２０によって構成されており、
前記腹材２２は、縦横の框材２４ａ,２４ａを矩形枠状に組み立ててなる枠体２４と、この枠体２４の両面に貼設される面材２５,２５とを有する木質パネルで構成されていることを特徴とする。
【００１１】
請求項２に記載の発明によれば、腹材２２が、縦横の框材２４ａを矩形枠状に組み立ててなる枠体２４と、この枠体２４の両面に貼設される面材２５とを有する木質パネル２３で構成されているので、腹材２２自体の強度を確保できる。そして、一対の棒状部材間に
腹材２２を設けることによって、建築構造材２０が構成されているので、例えば腹材２２だけで建築構造材を形成するよりも、さらに高い強度の建築構造材２０を得ることができる。
そして、このような建築構造材２０によって、柱部材２および梁部材３が構成されているので、屋根や床等の上部構造の荷重や積載荷重を確実かつ十分に支持することが可能な建物躯体１を構成することができるので、建物躯体１の長期的な耐久性の維持を実現することが可能となる。
【００１２】
請求項３に記載の発明は、請求項２に記載の建物において、
前記一対の棒状部材２１,２１は、それぞれ複数の角材２１ａ,２１ａを軸方向に連結することによって構成されており、
前記腹材２２を構成する木質パネル２３は、前記一対の棒状部材２１,２１の長手方向に連続して複数配置されており、これら複数の木質パネル２３の棒状部材側の縁部は、それぞれ前記一対の棒状部材２１に接合されていることを特徴とする。
【００１３】
請求項３に記載の発明によれば、前記一対の棒状部材２１，２１は、それぞれ複数の角材２１ａ，２１ａを軸方向に連結することによって構成されており、前記腹材２２を構成する木質パネル２３は、前記一対の棒状部材２１，２１の長手方向に連続して複数配置されており、これら複数の木質パネル２３の棒状部材２１側の縁部は、それぞれ前記一対の棒状部材２１，２１に接合されているので、建築構造材２０を分割しておくことができる。
これによって、長尺で輸送しにくい建築構造材２０であっても予め分割しておくことができるので、容易に輸送することができる。しかも、現場等で、分割された部材どうしを連結すれば、高強度な建築構造材２０を確実に得ることができるので、複数の門形フレーム４が、平行離間して配置されるとともに、これら複数の門形フレーム４が連結されてなる建物を容易に建築することができる。
【００１４】
請求項４に記載の発明は、請求項２または３に記載の建物において、
前記梁部材３を構成する建築構造材２０の一対の棒状部材２１,２１のうち、上方に位置する棒状部材２１は、前記柱部材２を構成する建築構造材２０の上端面に載置されており、
下方に位置する捧状部材２１は、前記柱部材２を構成する建築構造材２０の棒状部材２１の側面に取り付けられていることを特徴とする。
【００１５】
請求項４に記載の発明によれば、梁部材３を構成する建築構造材２０の一対の棒状部材２１，２１のうち、上方に位置する棒状部材２１は、柱部材２を構成する建築構造材２０の上端面に載置されており、下方に位置する棒状部材２１は、前記柱部材２を構成する建築構造材２０の棒状部材２１の側面に取り付けられているので、前記上方に位置する棒状部材２１と、前記柱部材２を構成する建築構造材２０とを梁勝ち納まりとすることができ、前記下方に位置する棒状部材２１と、前記柱部材２を構成する建築構造材２０とを柱勝ち納まりとすることができる。
これによって、前記柱部材２と梁部材３とを、単に梁勝ちに納めたり、単に柱勝ちに納めたりする場合に比して強固に接合できるので、より高い強度の門形フレーム４を得ることができる。
【発明の効果】
【００１６】
本発明によれば、複数の門形フレームのうち、端部側に位置する門形フレームに対向して壁が配置されており、この壁に複数の袖壁が設けられており、前記門形フレームに作用する前記梁部材と直交する方向の水平力を前記袖壁によって受けるようにしたので、門形フレームに作用する水平力に十分に抗することができる。
【図面の簡単な説明】
【００１７】
【図１】本発明に係る建物の一例を示すもので、当該建物の躯体を示す斜視図である。
【図２】同、建築構造材を示す斜視図である。
【図３】同、梁構成部材として複数に分割された建築構造材を示す分解正面図である。
【図４】同、門形フレームを構成する柱部材と梁部材との接合部の構造を示す断面図である。
【発明を実施するための形態】
【００１８】
以下、図面を参照して本発明の実施の形態について説明する。
図１において符号１は、建物躯体を示す。この建物躯体１は２階建て構造になっており、基礎５に沿って、この基礎５の上面に土台６が設けられるとともに、土台６，６間に大引７が架設されている。そして、これら土台６および大引７間に床パネル（図示せず）を架設することによって建物下階の床が形成されるようになっている。
また、前記土台６および大引７上に、柱部材２と梁部材３とを門形に接合してなる複数の門形フレーム４が、平行離間して配置されている。
具体的には、１階に門形フレーム４が４つ配置されている。図１において右端部側に位置する１階の門形フレーム４の柱部材２には、補強柱部材８が接合されており、この補強柱部材８と柱部材２とによって、建物躯体１の１階の右端部の二か所のコーナ部に断面Ｌ形の柱部材が設けられている。そして、補強柱部材８と、この補強柱部材８の左側に隣り合う門形フレーム４の柱部材２とが小壁（小壁パネル）９によって連結されている。
また、この門形フレーム４と、その左側に隣り合う門形フレーム４とは、対向する柱部材２,２間に設けられた小壁（小壁パネル）９と、対向する梁部材３,３間に設けられた床１０とによって連結されている。つまり、小壁９は対向する柱部材２,２の上端部に接合されており、床１０は対向する梁部材３,３に固定されている。
さらに、左端部側に位置する門形フレーム４の柱部材２には、補強柱部材８が接合されており、この補強柱部材８と柱部材２とによって、建物躯体１の１階の左端部の二か所のコーナ部に断面Ｌ形の柱部材が設けられている。そして、補強柱部材８と、この補強柱部材８の右側に隣り合う門形フレーム４の柱部材２とが小壁（小壁パネル）９によって連結されている。
【００１９】
２階には、１階と同様に門形フレーム４が４つ、１階の門形フレーム４の直上に配置されている。
すなわち、右端部側に位置する２階の門形フレーム４の柱部材２には、補強柱部材８が接合されており、この補強柱部材８と柱部材２とによって、建物躯体１の２階の右端部の二か所のコーナ部に断面Ｌ形の柱部材が設けられている。そして、補強柱部材８と、この補強柱部材８の左側に隣り合う門形フレーム４の柱部材２とが小壁（小壁パネル）９によって連結されている。さらに、右端部側の位置する２階の門形フレーム４の梁部材３と、当該門形フレーム４の左側に隣り合う門形フレーム４の梁部材３とはそれらの間に設けられた床１０によって連結されている。
また、この門形フレーム４と、その左側に隣り合う門形フレーム４とは、対向する柱部材２,２間に設けられた小壁（小壁パネル）９と、対向する梁部材３,３間に設けられた床１０とによって連結されている。つまり、小壁９は対向する柱部材２,２の上端部に接合されており、床１０は対向する梁部材３,３に固定されている。
さらに、左端部側に位置する門形フレーム４の柱部材２には、補強柱部材８が接合されており、この補強柱部材８と柱部材２とによって、建物躯体１の２階の左端部の二か所のコーナ部に断面Ｌ形の柱部材が設けられている。そして、補強柱部材８と、この補強柱部材８の右側に隣り合う門形フレーム４の柱部材２とが小壁（小壁パネル）９によって連結されている。
なお、１階および２階の床１０は、複数の床パネル１０ａを接合することによって構成されている。
【００２０】
前記各階に４つずつの門形フレーム４のうち、左端部に位置する１階と２階の門形フレーム４に対向して、壁１１が基礎５上の土台６に設けられている。この壁１１は複数の壁パネルを連結することによって構成されている。壁１１は２階の床１０までの高さを有しており、この壁１１の門形フレーム４側を向く表面には、複数の袖壁１２が設けられている。
袖壁１２は２階までの高さを有する上下に長尺なものであり、壁１１の長さ（幅）方向に所定間隔で複数（例えば５つ）設けられている。各袖壁１２はそれぞれ壁パネルによって形成されており、壁１１に固定されている。
【００２１】
また、１階および２階の床１０,１０は、左端部側の位置する門形フレーム４,４より左側に延出されており、この延出した床１０,１０の左端部が複数の前記袖壁１２の先端部に当接されたうえで、連結されている。これによって、門形フレーム４に作用する梁部材３と直交する方向の水平力を袖壁１２によって受けるようになっている。
なお、袖壁１２は、門形フレーム４から延出している複数の床パネル１０ａのうち、両側に位置する床パネル１０ａの端部（床パネル１０ａの短辺方向の端部）、互いに接合されている床パネル１０ａ,１０ａの接合部に当接するようにして配置されている。
また、前記袖壁１２が設けられた壁１１は、左端部に位置する１階と２階の門形フレーム４に対向して設けるとともに、右端部に位置する１階と２階の門形フレーム４に対向して設けてもよい。
【００２２】
前記柱部材２および梁部材３は、それぞれ建築構造材２０によって構成されている。この建築構造材２０は、図２に示すように、長手方向と直交する方向に所定の間隔をあけて配置される一対の棒状部材２１，２１と、これら一対の棒状部材２１，２１間に設けられる腹材２２とを備えている。
前記棒状部材２１は、それぞれ断面が四角形状の複数の角材２１ａ，２１ａを軸方向に連結することによって構成されている。
前記一対の棒状部材２１，２１は同じ長さに設定されていなくてもよく、本実施の形態においては、図３に示すように、前記建築構造材２０の腹材２２を構成する木質パネル２３の一側縁部に設けられる棒状部材２１と、他側縁部に設けられる棒状部材２１とは長さが異なるように設定されている。
また、一側縁部の棒状部材２１を構成する複数の角材２１ａ，２１ａもそれぞれ長さが異なるように設定されており、同じく、他側縁部の棒状部材２１を構成する複数の角材２１ａ，２１ａもそれぞれ長さが異なるように設定されている。
また、前記複数の角材２１ａ，２１ａは、図３に示すように、連結金具３０によって連結されている。
【００２３】
なお、複数の角材２１ａ,２１ａは、連結金具３０を使用することなく、複数の角材２１ａ，２１ａどうしを直接接合してもよい。連結金具３０を使用しない場合は、例えば隣り合う角材２１ａ，２１ａどうしを接着剤によって接合したり、一方の角材２１ａにほぞを形成するとともに他方の角材２１ａにほぞ穴を形成し、これら組み合わせることによって隣り合う角材２１ａ，２１ａどうしを接合したり、または、その他の接合方法によって接合する。
【００２４】
前記腹材２２は、縦横の框材２４ａを矩形枠状に組み立ててなる枠体２４と、この枠体２４の両面に貼設される面材２５とを有する木質パネル２３で構成されている。
この木質パネル２３とは、壁や床、屋根といった建物の構成要素を予め工場にてパネル化しておき、施工現場でこれらのパネルを組み立てて建物を構築するパネル工法に利用される建築用パネルと同様の機能を有するものである。
なお、前記建物躯体１の床を構成する床パネル１０ａは、縦横の框材を矩形枠状に組み立ててなる枠体と、この枠体の上面に貼設される面材とを有するものである。また、枠体内には、適宜、補強桟材が組み付けられる。
【００２５】
また、前記木質パネル２３には、図１および図３に示すように、配線用穴部２８やダクト用穴部２９が形成されている。
前記配線用穴部２８は、前記柱部材２を構成する建築構造材２０を構成する木質パネル２３の面材２５に形成されている。
前記ダクト用穴部２９は、前記梁部材３用の建築構造材２０を構成する木質パネル２３の面材２５に形成されている。また、このダクト用穴部２９は、図３に示すように梁部材３の長さ方向に沿って複数形成されており、例えば間取りを変更する際に適宜対応してダクトを配置できるようになっている。
【００２６】
そして、前記腹材２２を構成する木質パネル２３は、図２および図３に示すように、前記一対の棒状部材２１，２１の長手方向に連続して複数配置されており、これら複数の木質パネル２３，２３の棒状部材２１側の縁部は、それぞれ前記一対の棒状部材２１，２１に接合されている。
なお、隣り合う木質パネル２３，２３どうしは、接着剤によって互いに接合されている。
また、腹材２２と一対の棒状部材２１，２１とは、接着剤や釘等の止着材によって接合されている。
【００２７】
また、これら各木質パネル２３，２３は同じ長さに設定されていなくてもよく、本実施の形態においては、図３に示すように、前記建築構造材２０の両端部に設けられる木質パネル２３，２３の長さが、他の木質パネル２３よりも短くなるように設定されている。
さらに、これら木質パネル２３の長さは、前記角材２１ａの長さとは異なるものとなるように設定されている。
【００２８】
また、これら各木質パネル２３と、前記各角材２１ａ，２１ａとは、互いに長さが異なるように設定されており、これら木質パネル２３と角材２１ａとは、各木質パネル２３の端部の位置と、各角材２１ａの端部の位置とが揃わないようにして接合されている。
また、これら前記一対の棒状部材２１，２１のうち、一方の棒状部材２１を構成する複数の角材２１ａ，２１ａと、他方の棒状部材２１を構成する複数の角材２１ａ，２１ａ同士も、互いに長さが異なるように設定されている。
このように、前記建築構造材２０は、各木質パネル２３の端部の位置と、各角材２１ａの端部の位置とが揃わないように形成されているので、曲げ強度が高くなる。
【００２９】
また、前記棒状部材２１の角材２１ａと木質パネル２３とは同一厚さに形成され、面一に接合されている。すなわち、図２に示すように、前記棒状部材２１の角材２１ａの横の厚さと、前記木質パネル２３を構成する框材２４ａと２つの面材２５，２５との並設方向の長さとが略等しくなるように設定されている。
さらに、この棒状部材２１の角材２１ａと木質パネル２３とが面一に接合されているので、建築構造材２０の両側面に、該建築構造材２０の長さ方向に沿ってフラットな面を形成することができる。
【００３０】
前記門形フレーム４は、図１および図４に示すように、前記建築構造材２０を垂直に配置してなる柱部材２,２を、互いに所定の間隔をあけて配置するとともに、これら柱部材２,２の上端部間に、建築構造材２０を水平に配置してなる梁部材３を架設することによって形成されている。
柱部材２の上端部に、梁部材３の側端部を接合する際は、互いの棒状部材２１，２１どうしを連結金具３０によって連結するようにして行われる。
より詳細には、図４に示すように、前記梁部材３の一対の棒状部材２１，２１のうち、上方に位置する棒状部材２１は、柱部材２の上端面に載置されており、下方に位置する棒状部材２１は、柱部材２の棒状部材２１の側面に、前記下方に位置する棒状部材２１の端面と柱部材２の側面とを前記連結金具３０によって連結するようにして取り付けられている。
【００３１】
前記棒状部材２１，２１どうし、または複数の角材２１ａ，２１ａどうしを連結する連結金具３０は、図３および図４に示すように、連結ボックス３１、第１ボルト３２、第２ボルト３３、第１ナット３５、第２ナット３６等を備えている。
そして、前記連結金具３０の連結ボックス３１は、前記下方に位置する棒状部材２１の端面と、前記柱部材２を構成する建築構造材２０の棒状部材２１の側面との間に配置されている。
また、前記第１ボルト３２は、前記下方に位置する棒状部材２１の端面に埋設固定されるとともに、前記連結ボックス３１に挿し込まれている。
また、前記第２ボルト３３は、前記柱部材２の棒状部材２１の側面に埋設固定されるとともに、前記連結ボックス３１に挿し込まれている。
なお、この第２ボルト３３は、前記柱部材２に形成されたボルト挿通孔２６に挿入固定された延長ボルト３４に、継手ナット３４ａを介して継手されている。
【００３２】
また、前記第１ナット３５は、前記連結ボックス３１にその開口部３１ａから挿入されたうえで、前記第１ボルト３２に螺合して締め付けられている。
また、前記第２ナット３６は、前記連結ボックス３１にその開口部３１ａから挿入されたうえで、前記第２ボルト３３に螺合している。
さらに、第３ナット３７は、記第２ボルト３３に、前記第２ナット３６とともに前記連結ボックス３１の端面を形成する壁部を挟むようにして、かつ該連結ボックス３１の端面を形成する壁部との間に座金３７ａを介して螺合している。なお、この第３ナット３７は、前記第２ボルト３３を前記連結ボックス３１に挿し込む前に、前記第２ボルト３３に対して予め螺合している。
【００３３】
そして、前記第２ナット３６および第３ナット３７がスパナやレンチ等の工具によって締め付けられており、これによって、前記梁部材３の一対の棒状部材２１，２１のうち、下方に位置する棒状部材２１と、前記柱部材２の棒状部材２１とを強固に連結することができる。
【００３４】
本実施の形態によれば、複数の門形フレーム４のうち、端部側に位置する門形フレーム４に対向して壁１１が配置されており、この壁１１に複数の袖壁１２が設けられており、前記門形フレーム４に作用する前記梁部材３と直交する方向の水平力を袖壁１２によって受けるようにしたので、門形フレーム４に作用する水平力に十分に抗することができる。
また、複数の門形フレーム４は床１０によって連結されており、端部側に位置する門形フレーム４上に位置する床１０が袖壁１２に連結されているので、門形フレーム４に作用する梁部材３と直交する方向の水平力を袖壁１２によって効果的に受けることができる。
【００３５】
さらに、腹材２２が、縦横の框材２４ａを矩形枠状に組み立ててなる枠体２４と、この枠体２４の両面に貼設される面材２５とを有する木質パネル２３で構成されているので、腹材２２自体の強度を確保できる。そして、一対の棒状部材間に、互いに接合される腹材を設けることによって、建築構造材が構成されているので、例えば腹材２２だけで建築構造材を形成するよりも、さらに高い強度の建築構造材２０を得ることができる。
そして、このような建築構造材によって、柱部材および梁部材が構成されているので、屋根や床等の上部構造の荷重や積載荷重を確実かつ十分に支持することが可能な建物躯体１を構成することができるので、建物躯体１の長期的な耐久性の維持を実現することが可能となる。
【００３６】
また、前記一対の棒状部材２１，２１は、それぞれ複数の角材２１ａ，２１ａを軸方向に連結することによって構成されており、前記腹材２２を構成する木質パネル２３は、前記一対の棒状部材２１，２１の長手方向に連続して複数配置されており、これら複数の木質パネル２３，２３の棒状部材２１側の縁部は、それぞれ前記一対の棒状部材２１，２１に接合されているので、建築構造材２０を分割しておくことができる。
これによって、長尺で輸送しにくい建築構造材２０であっても予め分割しておくことができるので、容易に輸送することができる。しかも、現場等で、分割された部材同士を連結すれば、高強度な建築構造材２０を確実に得ることができるので、複数の門形フレームが、平行離間して配置されるとともに、これら複数の門形フレームが連結されてなる建物を容易に建築することができる。
【００３７】
また、梁部材３を構成する建築構造材２０の一対の棒状部材２１，２１のうち、上方に位置する棒状部材２１は、柱部材２を構成する建築構造材２０の上端面に載置されており、下方に位置する棒状部材２１は、前記柱部材２を構成する建築構造材２０の棒状部材２１の側面に取り付けられているので、前記上方に位置する棒状部材２１と、前記柱部材２を構成する建築構造材２０とを梁勝ち納まりとすることができ、前記下方に位置する棒状部材２１と、前記柱部材２を構成する建築構造材２０とを柱勝ち納まりとすることができる。
これによって、前記柱部材２と梁部材３とを、単に梁勝ちに納めたり、単に柱勝ちに納めたりする場合に比して強固に接合できるので、より高い強度の門形フレームを得ることができる。
【符号の説明】
【００３８】
１  建物躯体
２  柱部材
３  梁部材
４  門形フレーム
１０  床
１１  壁
１２  袖壁
２０  建築構造材
２１  棒状部材
２１ａ  角材
２２  腹材
２３  木質パネル
２４ａ  枠材
２４  枠体
２５  面材
【図１】
0005629195.tif 000002
【図２】
0005629195.tif 000003
【図３】
0005629195.tif 000004
【図４】
0005629195.tif 000005